(57)【要約】【課題】電源のロック機構専用の部品を用いることなく、記録時以外の持ち運びなどの時に電源が入ってしまうのを防止されるシート材搬送装置を提供する。【解決手段】装置本体に着脱可能なバッテリを電源として駆動するシート材搬送装置において、装置使用時に開き、装置非使用時に閉じる給送トレイ３を有し、給送トレイ３を閉じると、これに設けられた絶縁性の給送ガイド４がバッテリ２の接点と装置本体の接点の接点間溝部３６に入り、バッテリ２を装置本体１から電気的に切断することを特徴とする。【選択図】    図６
2004188686.tif 000002
【特許請求の範囲】
【請求項１】
装置本体に着脱可能なバッテリを電源として駆動するシート材搬送装置において、
装置使用時に開き、装置非使用時に閉じる開閉部材を有し、前記開閉部材を閉じると該開閉部材に設けられた絶縁性の規制部が前記バッテリを装置本体から電気的に切断することを特徴とするシート材搬送装置。
【発明の詳細な説明】
【０００１】
【発明の属する技術分野】
本発明は、バッテリを電源とし、この電源が不用意に入ってしまうことがないシート材搬送装置に関する。
【０００２】
【従来の技術】
従来、ワードプロセッサやパーソナルコンピュータの小型化に伴い、これらの出力機器であるプリンタや、複写機、ファクシミリ装置等の、シート材である記録シートを搬送するとともに記録を行う記録装置も小型化されるようになってきた。
【０００３】
特に、ノート型といわれる携帯可能なパーソナルコンピュータ等にあっては、通常、記録装置が付属しておらず、外出先で情報の出力を行うためには携帯可能な記録装置が必要となる場合がある。このような携帯用途の記録装置には、小型、軽量であり、また、バッテリによる駆動が可能であることが要求される。
【０００４】
通常、セルと呼ばれるバッテリ本体は、記録装置の駆動に際して電圧あるいは容量が１本のセルでは不足する場合、複数のセルを直列又は並列に電気的に接続し、バッテリケースに収納したものが用いられる。そしてこのバッテリケースには接点が設けられており、記録装置に設けられている接点と接触して、バッテリは、装置に対して着脱可能に保持されている。
【０００５】
【発明が解決しようとする課題】
しかしながら、従来の記録装置では、記録時以外の持ち運びなどの時に誤った操作、衝撃、振動等により、記録装置の電源が入り、その後、実際に記録装置で画像などを出力しようとしても、バッテリの容量が電源が入ってしまったために下がり、記録装置で画像などを出力できなくなってしまう恐れがあった。
【０００６】
また、従来の記録装置における不用意に電源が入らないようにする、電源のロック機構は、回路、あるいは電源のロック機構ための専用の部品が用いられている場合があり、記録装置のコストが高くなる場合があった。
【０００７】
本発明は上記課題に鑑みてなされたものであり、その目的は、電源のロック機構専用の部品を用いることなく、記録時以外の持ち運びなどの時に電源が入ってしまうのを防止されるシート材搬送装置を提供するものである。
【０００８】
【課題を解決するための手段】
上記目的を達成するための本発明に係る代表的な構成は、装置本体に着脱可能なバッテリを電源として駆動するシート材搬送装置において、装置使用時に開き、装置非使用時に閉じる開閉部材を有し、前記開閉部材を閉じると該開閉部材に設けられた絶縁性の規制部が前記バッテリを装置本体から電気的に切断することを特徴とする。
【０００９】
上記構成にあっては、輸送時などの時の誤操作、衝撃あるいは振動などによる記録装置本体の電源スイッチが入っても、前記開閉部材を閉じることにより、シート材給送装置は動作せず、バッテリの容量が減少することはない。また、電源ロック専用の部品を設ける必要もない。
【００１０】
【発明の実施の形態】
次に、本発明の実施の形態について図面を参照しながら説明する。
【００１１】
なお、以下の説明で用いられる用語である「バッテリ」は、複数のセルを内部に有するバッテリケースを指しているが、セル単体であってもよいことは言うまでもない。
【００１２】
〔第１実施形態〕
図１は記録状態における本実施形態の記録装置の外観斜視図であり、図２は図１に示した本実施形態の記録装置による記録シートの搬送状況を示す。
【００１３】
図１は記録装置本体１の給送トレイ３を開けた状態を示している。記録装置本体１は、記録シート２２が供給される給送口１１の近傍に、電源となるバッテリ２を着脱可能に有している。
【００１４】
給送トレイ３には、図１の矢印Ａ方向に摺動可能な第１の給送ガイド４が設けられているとともに、第２の給送ガイド５が一端に設けられている。第１の給送ガイド４は、シート材である記録シート（プラスチックシートなどの記録可能な可とう性シートを含む記録媒体）２２が記録されながら、図２に示すように、矢印Ｂ方向に搬送される際の搬送方向と略直交方向である記録シート２２の幅方向の移動を規制するものであり、ユーザが記録に用いる記録シート２２の幅に応じてスライドさせて使用する。
【００１５】
｛記録構成｝
次に、本実施形態の記録装置の内部構成を排出側から見た、分解斜視図である図３を用いて記録シートへの記録に関して説明する。
【００１６】
なお、図３は記録装置本体１から上ケース２８を取り外した状態を示している。
【００１７】
まず、各部構成に関して説明すると、本実施形態の記録装置は、記録ヘッドカートリッジ１９を着脱自在に保持するキャリア１８を備えている。このキャリア１８は、フレーム３０に両端部が固定され、互いに平行に配置されたガイドシャフト２０及びガイドレール１２に、記録シート２２の搬送方向と直交し、かつ、記録シート２２の面に平行である主走査方向に摺動自在に支持されている。
【００１８】
フレーム３０には搬送ローラ６が回転可能に支持されており、搬送ローラ６の軸端には、ラインフィードギア２１ａが固定されている。この搬送ローラ６は、ラインフィードギア２１ａを介して搬送モータ２３によって回転駆動される。
【００１９】
ガイドシャフト２０は、一端の内側にはガイドシャフト２０をフレーム３０に固定するための溝が形成されて、プラグ２５により固定されている。
【００２０】
またキャリア１８は、アイドルプーリ２７と、フレーム３０に固定されたキャリアモータ１０によって回転駆動される駆動プーリ１３との間に掛け回されたベルト１７の一部位に結合されており、キャリアモータ１０を駆動することでベルト１７が駆動され、キャリア１８がガイドシャフト２０及びガイドレール１２に沿った主走査方向に往復移動する構成になっている。
【００２１】
また、記録ヘッドカートリッジ１９には着脱自在な、インクを収容しているインクタンク８が搭載されており、記録によってインクが無くなった場合には、新しいインクタンク８に交換可能な構成となっている。
【００２２】
また、本記録装置にはキャリア１８の通過を検出することによりキャリア１８の位置を検出するためのホームポジションセンサ（不図示）や、記録ヘッドカートリッジ１９に基板２６から電気信号を伝えるフレキシブルケーブル２４が備えられている。
【００２３】
記録に際しては、記録手段としての記録ヘッドカートリッジ１９から画信号に応じてインクを吐出して記録を行うインクジェット記録方式を用いている。なお、本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出が達成できる。
【００２４】
記録ヘッドカートリッジ１９の移動により一行記録を行うと、搬送モータ２３により、記録シート２２を図２に示した矢印Ｂ方向に一行分搬送して次行の記録を行う。
【００２５】
｛シート搬送構成｝
次に、本実施形態の記録装置の側断面図である図４を用いて、記録シートの搬送に関して説明する。
【００２６】
プラテン１４は、給送口１１から、例えば、手差し等により搬送されてくる記録シート２２の下面に位置しており、下ケース２９の内壁に沿って組み込まれている。
【００２７】
プラテン１４の表面には、搬送中の摺動負荷を低減させるため、不図示の突起状リブが記録シート２２の搬送方向に沿って複数列にわたり形成されている。
【００２８】
プラテン１４に回転自在に取り付けられたピンチローラホルダ９によって保持されるピンチローラ７は、不図示のばねによって搬送ローラ６に対して下方より圧接されており、搬送ローラ６とピンチローラ７の間に挟まれた記録シート２２は、上述したように搬送モータ２３の駆動によって搬送される。
【００２９】
記録ヘッドカートリッジ１９を挟んだ搬送ローラ６の反対側には、記録後の記録シート２２を装置外へ排出するための排出ローラ１５が２列にわたり、プラテン１４に取り付けられている。排出ローラ１５は、搬送ローラ６からアイドルギア列２１（図３参照）を介して駆動力を伝達されることにより、搬送ローラ６と同期して回転する。排出ローラ１５の上方にはガイドレール１２に取り付けられた拍車１６が配置されており、排出ローラ１５が下方より不図示のばねによって拍車１６に圧接されていることにより、記録後の記録シート２２は排出ローラ１５と拍車１６の間に挟持され、記録装置本体１の外部へと搬送される。
【００３０】
｛バッテリ着脱構成｝
次にバッテリ２の構成及びこれの着脱構成について、図５及び図６を参照して説明する。なお、図５はバッテリ２の着脱構成説明図であり、図６は給送トレイ３を閉じる時における第１の給送ガイドの退避位置を示す説明図である。
【００３１】
図５に示すように、バッテリ２の一端部には電極であるバッテリ接点３２が設けられている。また、バッテリ２の他端部には記録装置本体１に形成された凹部３５に対応する段差部３３が設けられており、その端部には板バネ３４が設けられている。
【００３２】
まず、記録装置本体１に形成された凹部３５にバッテリ２の段差部３３をはめ込み、矢印Ｄ方向にバッテリ２を回動させ記録装置本体１にはめ込んで装着する。
【００３３】
記録装置本体１にバッテリ２が装着されることにより、バッテリ２のバッテリ接点３２と本体接点３１が、バッテリ２に設けられた板バネ３４により図６の矢印Ｅ方向に押されることで接点同士が、電気的に接続される。
【００３４】
｛給送トレイとバッテリの関係｝
このような構成のバッテリ２が記録装置本体１に対して装着され、第一の給送ガイド４により、給送トレイ３を閉じることにより、バッテリ２の電気的接続を切る機構を以下に説明する。
【００３５】
まず、給送トレイを閉じる手順について説明する。はじめに第１の給送ガイド４を、図６に示すように、給送トレイ３上をスライド（矢印Ｃ方向）させる。この際、バッテリ２のバッテリ接点３２と本体接点３１の位置で（図５参照）、バッテリ２の端部と記録装置本体１の端部の間に設けられている接点間溝部３６の位置まで第１の給送ガイド４をスライドさせる。この位置以外では、給送トレイ３は閉じることができない。
【００３６】
次に、給送トレイ３を閉じるわけであるが、図７がその状態である。給送トレイ３を閉じることにより、第一の給送ガイド４が接点間溝部３６（図６参照）に入り込み、さらにはバッテリ２のバッテリ接点３２と本体接点３１の間に入り込む。
【００３７】
この時、バッテリ２は前述のように、バッテリ２に設けられた板バネ３４により接点同士が同士が押されているわけであるが、板バネ３４はたわむことにより、バッテリ接点３２と本体接点３１の間に第一の給送ガイド４が入り込むことができる。
【００３８】
こうして、第一の給送ガイド４は電気を導通しない絶縁性材料でできているので、バッテリ接点３２と本体接点３１の間に第一の給送ガイド４が入り、バッテリ２の電気的接続を切られ、バッテリ２の電源が記録装置本体１に供給されなくなる。
【００３９】
よって、この状態でいくら不用意に記録装置本体１の不図示の電源スイッチが入っても記録装置は動作せず、バッテリ２の容量が電源が入ってしまったために下がり、記録装置で画像などを出力できなくなってしまうことを防げる。
【００４０】
〔第２実施形態〕
次に給送トレイの開閉とバッテリの関係に関する第２実施形態について、図８を参照して説明する。なお、記録装置の基本的な構成は前述した第１実施形態と同一であるため、ここでは第１実施形態と異なる部分のみ説明する。
【００４１】
本実施形態は、図８に示すように、バッテリ２の中に複数のセル３７が納められており、かつバッテリ２の表面に切り欠き形状のセル間溝部３８が設けられている。この切り欠き形状のセル間溝部３８は、バッテリ２内の複数のセル３７同士の接点間と同じ位置にある。
【００４２】
そして、給送トレイ３にスライド可能に取り付けられた第一の給送ガイド４をスライドさせる。この際、セル３７同士の接点位置と同じ位置に設けられている、セル間溝部３８の位置まで第一の給送ガイド４をスライドさせる。この位置以外では、給送トレイ３は閉じることができない。
【００４３】
次に、給送トレイ３を閉じるわけであるが、給送トレイ３を閉じることにより、第一の給送ガイド４が図８に示されたセル間溝部３８に入り込み、さらにはバッテリ２内のセル３７同士の接点間に入り込む。
【００４４】
こうして、第一の給送ガイド４は電気を導通しない材料でできているので、セル３７同士の接点間の間に第一の給送ガイド４が入り、バッテリ２の電気的接続を切られ、バッテリ２の電源が記録装置本体１に供給されなくなる。
【００４５】
〔実施態様〕
次に本発明を適用し得る好ましい実施態様を以下に列挙する。
【００４６】
［実施態様１］  装置本体に着脱可能なバッテリを電源として駆動するシート材搬送装置において、
装置使用時に開き、装置非使用時に閉じる開閉部材を有し、前記開閉部材を閉じると該開閉部材に設けられた絶縁性の規制部が前記バッテリを装置本体から電気的に切断することを特徴とするシート材搬送装置。
【００４７】
［実施態様２］  前記開閉部材を閉じたときに、前記規制部が前記バッテリと装置本体との接点間に介在するよう構成したことを特徴とする実施態様１記載のシート材搬送装置。
【００４８】
［実施態様３］  前記バッテリは複数のセルを連結して構成され、前記開閉部材を閉じたときに、前記規制部が前記セル間に介在するよう構成したことを特徴とする実施態様１記載のシート材搬送装置。
【００４９】
［実施態様４］  前記開閉部材はシート材を支持する給送トレイであり、前記規制部はシート材の端部をガイドする給送ガイドであることを特徴とする実施態様１乃至実施態様３のいずれかに記載のシート材搬送装置。
【００５０】
［実施態様５］  前記給送ガイドはシート材幅方向にスライド可能であり、且つ前記給送トレイは前記給送ガイドがバッテリを装置本体から電気的に切断可能な位置にないと閉じることができないよう構成されていることを特徴とする実施態様４記載のシート材搬送装置。
【００５１】
［実施態様６］  シート材を搬送して画像を記録する記録装置において、
実施態様１乃至実施態様５のいずれかに記載のシート材搬送装置を有することを特徴とする記録装置。
【００５２】
［実施態様７］  前記記録装置は、記録手段が信号に応じてインクを吐出して記録することを特徴とする実施態様６に記載の記録装置。
【００５３】
【発明の効果】
本発明は前述のように構成したために、開閉部材を閉じると、バッテリの電源が装置本体と切断されるため、輸送時などの時の誤操作、衝撃あるいは振動などにより装置に設けられている電源スイッチがＯＮになっても、バッテリの容量が減少することを防止でき、且つ電源ロック専用の部品を設ける必要もない。
【図面の簡単な説明】
【図１】第１実施形態に係る記録装置の外観斜視図である。
【図２】記録装置による記録シート搬送状況の斜視図である。
【図３】記録装置から上ケースを取り外した斜視図である。
【図４】記録装置の側断面図である。
【図５】記録装置のバッテリ着脱構成の斜視図である。
【図６】記録装置の給送トレイを閉じる時における給送ガイドの退避位置と、接点間溝部の関係説明図である。
【図７】記録装置の給送トレイを閉じた時の側断面図である。
【図８】第２実施形態に係る記録装置の外観斜視図である。
【符号の説明】
１    …記録装置本体
２    …バッテリ
３    …給送トレイ
４    …給送ガイド
５    …給送ガイド
６    …搬送ローラ
７    …ピンチローラ
８    …インクタンク
９    …ピンチローラホルダ
１０    …キャリアモータ
１１    …給送口
１２    …ガイドレール
１３    …駆動プーリ
１４    …プラテン
１５    …排出ローラ
１６    …拍車
１７    …ベルト
１８    …キャリア
１９    …記録ヘッドカートリッジ
２０    …ガイドシャフト
２１    …アイドルギア列
２１ａ  …ラインフィードギア
２２    …記録シート
２３    …搬送モータ
２４    …フレキシブルケーブル
２５    …プラグ
２６    …基板
２７    …アイドルプーリ
２８    …上ケース
２９    …下ケース
３０    …フレーム
３１    …本体接点
３２    …バッテリ接点
３３    …段差部
３４    …板バネ
３５    …凹部
３６    …接点間溝部
３７    …セル
３８    …セル間溝部
【図１】
2004188686.tif 000003
【図２】
2004188686.tif 000004
【図３】
2004188686.tif 000005
【図４】
2004188686.tif 000006
【図５】
2004188686.tif 000007
【図６】
2004188686.tif 000008
【図７】
2004188686.tif 000009
【図８】
2004188686.tif 000010